(57)【特許請求の範囲】
【請求項１】
冷凍サイクルを循環する冷媒を圧縮する圧縮機から放射される騒音が外部に伝達されるのを防止するために屈曲部の形成された騒音防止部が前記圧縮機を包むように設けられる空気調和機の室外機用騒音低減構造において、
前記屈曲部は、前記騒音防止部の一側面に上下に一定間隔をおいて１／４円状の断面形状を有するように突出され、前記１／４円形状の下端部分に、前記圧縮機から発生される熱を放出できるように、通風口が形成されることを特徴とする空気調和機の室外機用騒音低減構造。
【請求項２】
前記圧縮機は、空気調和機の容量を可変させ得るように、定速型圧縮機の一側に配設され、運転速度可変可能なインバータ圧縮機であることを特徴とする請求項１記載の空気調和機の室外機用騒音低減構造。
【請求項３】
前記騒音防止部は、前記屈曲部を除いた内側面に吸遮音材が設けられることを特徴とする請求項１記載の空気調和機の室外機用騒音低減構造。
【請求項４】
前記吸遮音材は、吸音材と遮音材が積層されてなることを特徴とする請求項３記載の空気調和機の室外機用騒音低減構造。
【請求項５】
前記吸音材は多孔性材質からなることを特徴とする請求項４記載の空気調和機の室外機用騒音低減構造。
【請求項６】
前記遮音材はゴム材質からなることを特徴とする請求項４記載の空気調和機の室外機用騒音低減構造。
【請求項７】
前記騒音防止部は金属材質からなることを特徴とする請求項１記載の空気調和機の室外機用騒音低減構造。
【請求項８】
前記屈曲部は、前記圧縮機から騒音が集中的に放射される方向の騒音防止部の一側面に形成されることを特徴とする請求項１記載の空気調和機の室外機用騒音低減構造。
【発明の詳細な説明】
【０００１】
【発明の属する技術分野】
本発明は、定速型圧縮機とインバータ圧縮機が内蔵される大型空気調和機の室外機に関し、特に、インバータ圧縮機から発生する騒音の外部への伝達を防止するための大型空気調和機の室外機用騒音低減構造に関する。
【０００２】
【従来の技術】
一般に、大型空気調和機は、室内空気を快適に保持するための装置であって、大きく、室内側送風機および蒸発器などで構成されて室内側に配置される室内機と、室外側送風機、凝縮器および圧縮機などで構成されて室外側に配置される室外機と、から構成される。
【０００３】
図６は、従来の技術による大型空気調和機の室外機を示す斜視図である。
従来の大型空気調和機の室外機は、図６に示すように、吐出口２ａおよび吸込口４ａが各々形成された前面パネル２および背面パネル４と、前記前面パネル２および背面パネル４が上側に設けられる底板６とからなるケース８と；前記前面パネル２の内側に設けられて室外空気を強制送風させる室外側送風ファン１０と；前記背面パネル４の内側に設けられて前記室外側送風ファン１０によって強制送風された室外空気と冷媒を熱交換させる凝縮器１２と；空気調和機の冷房能力を調節できるように、前記凝縮器１２の一側に設けられて冷媒を圧縮させて冷凍サイクルを循環するようにする圧縮部１４と；を含めて構成される。
【０００４】
ここで、前記圧縮部１４は定速運転される定速型圧縮機１４ａと、変速運転されるインバータ圧縮機１４ｂとで構成され、周波数変化にしたがって前記インバータ圧縮機１４ｂの回転速度が変化されながら冷凍サイクルを循環する冷媒の流量を調節することによって冷房能力を可変させる。
つまり、前記インバータ圧縮機１４ｂは、空気調和機の作動と同時に冷房能力にしたがって変速されながら運転し続け、ここにさらに大きい冷房能力が要求されると前記定速型圧縮機１４ａが運転される。
【０００５】
ここで、前記インバータ圧縮機１４ｂは、入力周波数の大ききさに比例して高速回転することによって循環される冷媒量を増加させて冷房能力を有効に調節することができる。
また、参照符号１６は、前記室外側送風ファンを回転させるモータを固定させるように凝縮器に取り付けられたモータマウントであり、１８は、前記ケース内部において圧縮機の設けられる空間と凝縮器の設けられる空間とを区切る隔壁である。
【０００６】
以下、このように構成された従来技術の動作を説明する。
電源が印加され、比較的低い冷房能力を要求する信号がインバータ圧縮機１４ｂに入力されると、前記インバータ圧縮機１４ｂは低速運転して冷凍サイクルを循環する冷媒流量を小さくする。
ここにより大きい冷房能力を要求する信号が前記インバータ圧縮機１４ｂに入力されると、前記インバータ圧縮機１４ｂは、運転速度を速くして冷凍サイクルを循環する冷媒の流量を増加させる。
【０００７】
続いて、より一層大きい冷房能力を要求する信号が前記インバータ圧縮機１４ｂに入力されて前記インバータ圧縮機１４ｂに過負荷がかかると、前記インバータ圧縮機１４ｂとともに定速型圧縮機２ａも運転されて冷凍サイクルを循環する冷媒流量はさらに増加するようになる。
しかし、このように構成された大型空気調和機の室外機において、前記インバータ圧縮機１４ｂは入力周波数の変化によって回転速度が変わるため、冷媒圧力による脈動および構造的振動によって騒音が発生することになる。
【０００８】
ところで、従来技術による大型空気調和機の室外機に備えられるインバータ圧縮機は、冷蔵庫に備えられるインバータ圧縮機のように機械室などの別の空間に配設されるのではなく、前記ケース(図示せず)内の隔壁によって区切られた空間に配設されるので、インバータ圧縮機１４ｂの作動中に発生する騒音が外部に放射され易いという問題点があった。
【０００９】
【発明が解決しようとする課題】
本発明は、前記従来技術の問題点に鑑みてなされたものであり、インバータ圧縮機内蔵の大型空気調和機の室外機においてインバータ圧縮機によって発生する騒音がケースを通じて外部に伝達されるのを防止するための大型空気調和機の室外機用騒音低減構造を提供することにその目的がある。
【００１０】
【課題を解決するための手段】
本発明は、前記目的を達成するために、本発明による大型空気調和機の室外機用騒音低減構造は、冷媒が冷凍サイクルを循環するように冷媒を圧縮する圧縮機の備えられた大型空気調和機の室外機において、前記圧縮機から放射される騒音が外部に伝達されるのを防止するために屈曲部の形成された騒音防止部が前記圧縮機を包むように設けられることを特徴とする。
【００１１】
【発明の実施の形態】
以下、本発明の好ましい実施形態を添付図面を参照しつつ詳細に説明する。
図１は、本発明による大型空気調和機の室外機用騒音低減構造を示す図であり、図２は、図１のＡ−Ａ線による断面図であり、図３は、図１のＢ−Ｂ線による断面図である。そして、図４は、本発明による他の大型空気調和機の室外機用騒音低減構造を示す図で、図５は、図４のＣ−Ｃ線による断面図である。
【００１２】
前記本発明による大型空気調和機の室外機用騒音低減構造は、図１および図４に示すように、吐出口５２ａおよび吸込口５４ａが各々形成された前面パネル５２および背面パネル５４と、前記前面パネル５２および背面パネル５４が上側に取り付けられる底板５６とからなるケース５８と；前記ケース５８の内側に室外空気を強制送風させる室外側送風ファン６０と；前記背面パネル５４の内側に配設されて前記室外側送風ファン６０によって送風された室外空気と冷媒を熱交換させる凝縮器６２と；前記凝縮器６２の一側に配設されて冷媒を圧縮して冷房能力にしたがって冷凍サイクルを循環する冷媒流量を調節するように定速運転される定速型圧縮機６４ａおよび変速運転されるインバータ圧縮機６４ｂと；前記インバータ圧縮機６４ｂを包むように設けられて前記インバータ圧縮機６４ｂから放射される騒音が外部に伝達されるのを防止する、屈曲部７２、７４の形成された騒音防止部７０と；から構成される。
【００１３】
ここで、前記騒音防止部７０の内側面には、前記定速型圧縮機６４ａの外周を包むように設けられる不織布またはフォームなどの多孔性材質の吸音材(図示せず)とゴムおよび金属材質の遮音材(図示せず)とが積層されてなる吸遮音材(図示せず)がさらに設けられる。
ここで、前記インバータ圧縮機６４ｂは、空気調和機が作動されると同時に冷房能力にしたがって変速されながら運転し続け、ここにより大きい冷房能力が要求されると前記定速型圧縮機６４ａも運転される。
【００１４】
特に、前記インバータ圧縮機６４ｂは入力周波数にしたがって回転速度が変ることから作動中冷媒圧力による脈動および構造的振動によって騒音が比較的多く発生する。したがって、実験を通じて前記インバータ圧縮機６４ｂの騒音放射特性を調査し、騒音が集中的に放射される方向の騒音防止部７０の一側面に前記屈曲部７２、７４を形成する。
【００１５】
ここで、前記インバータ圧縮機６４ｂから発生する騒音は一種の音波形態なので、その騒音は、前記騒音防止部７０に形成された屈曲部７２、７４によって前記騒音防止部７０に垂直に入射されずに前記騒音防止部７０の内側に再び反射される。
なお、騒音防止効果をさらに高めるために、前記騒音防止部７０の内側面には前記インバータ圧縮機６４ｂから発生する騒音を吸収および遮断する吸遮音材７６が設けられるが、これは、前記屈曲部７２、７４の形成された部分を除いた前記騒音防止部７０の内側面に設けられる。
【００１６】
ここで、前記吸遮音材７６は、図２に示すように、フェルトまたは繊維糸材質、フォーム材質のように体積あたり空気含有量の極めて大きい多孔性材質からなる吸音材７６ａと、ゴムまたは金属材質からなって前記吸音材７６ａに積層される遮音材７６ｂとから構成される。
具体的に、前記騒音防止部７０に形成された屈曲部７２は、図３に示すように、前記騒音防止部７０の一側面に上下に一定間隔ｈをおいて半円状の断面形状を有するように突出されている。
【００１７】
また、前記騒音防止部７０に形成された他の形態の屈曲部７４は、図５に示すように、前記騒音防止部７０の一側面に上下に一定間隔ｈをおいて１／４円の断面形状を有するように突出して形成されてもよい。
この屈曲部７４は、前記インバータ圧縮機６４ｂから発生する熱を放出させるために下端部分に通風口７４ａが形成される。
【００１８】
また、前記インバータ圧縮機６４ｂから発生する熱が多い場合には前記騒音防止部７０の上面を開き、前記インバータ圧縮機６４ｂの上面に室外側送風ファン６０が取り付けられるようにして前記インバータ圧縮機６４ｂから発生する熱を放出させてもよい。
【００１９】
このように構成された本発明の動作を説明すると、以下のようである。
電源の印加によってインバータ圧縮機６４ｂが作動すると、冷房能力にしたがって回転速度が変わりながら冷凍サイクルを循環する冷媒流量が調節されるため、インバータ圧縮機６４ｂからは騒音が発生することになる。
しかし、前記インバータ圧縮機６４ｂから発生する騒音は、吸遮音材７６によって一部は吸収または低減され、前記インバータ圧縮機６４ｂを包んでいる騒音防止部７０によって外部への伝達がさらに遮断される。
【００２０】
また、騒音は、前記騒音防止部７０に形成された屈曲部７２、７４に垂直に入射されずに傾いて入射されるため、再び前記騒音防止部７０内に反射され、外部に伝達されなくなる。
一方、前記インバータ圧縮機６４ｂから発生する熱は、前記騒音防止部７０の屈曲部７４に形成された通風口７４ａから放出される。
【００２１】
【発明の効果】
このように構成された本発明による大型空気調和機の騒音低減構造は、インバータ圧縮機から発生する騒音が外部に伝達されないように屈曲部の形成された騒音防止部をインバータ圧縮機の外周を包むように設けるため、インバータ圧縮機から発生する騒音は、騒音防止部内に再び反射されて外部に伝達されるのが防止され、騒音公害の低減と製品性能の向上に寄与できる。
【図面の簡単な説明】
【図１】本発明による大型空気調和機の室外機用騒音低減構造を示す図である。
【図２】図１のＡ−Ａ線による断面図である。
【図３】図１のＢ−Ｂ線による断面図である。
【図４】本発明による他の大型空気調和機の室外機用騒音低減構造を示す図である。
【図５】図４のＣ−Ｃ線による断面図である。
【図６】従来の技術による大型空気調和機の室外機を示す図である。
【符号の説明】
６４ａ…定速型圧縮機
６４ｂ…インバータ圧縮機
７０…騒音防止部
７２、７４…屈曲部
７４ａ…通風口
【図１】
0003723537.tif 000002
【図２】
0003723537.tif 000003
【図３】
0003723537.tif 000004
【図４】
0003723537.tif 000005
【図５】
0003723537.tif 000006
【図６】
0003723537.tif 000007